(57)【要約】【課題】  高品質の光信号伝送が可能な光伝送システム等を提供する。【解決手段】  送信器１１から出力された第１光信号λ１と、送受信器１２から出力された第２光信号λ２とは、光合波器１３により合波されて光ファイバ伝送路３０へ送出される。端末装置２０に到達した第１光信号λ１と第２光信号λ２とは光分波器２３により分波されて、第１光信号λ１は受信器２１に入力し、第２光信号λ２は光分岐器２４に入力する。光分岐器２４に入力した第２光信号λ２の一部は、光分岐器２４により分岐され、光フィルタ２５を透過して、受信器２１に入力する。受信器２１において、光分波器２３から出力されて到達した第１光信号λ１が光電変換されて第１電気信号が生成されるとともに、光フィルタ２５を透過した第２光信号λ２が光電変換されて第２電気信号が生成され、第２電気信号に基づいて第１電気信号の波形が修復される。【選択図】  図１
2006074725.tif 000002
【特許請求の範囲】
【請求項１】
光信号を受信する受信器であって、
アナログ情報を含む第１光信号を光電変換して第１電気信号を出力する第１受光部と、
この第１受光部から出力された第１電気信号の波形を修復する波形修復部と、
を備えることを特徴とする受信器。
【請求項２】
前記波形修復部が、
デジタル情報を含む第２光信号を光電変換して第２電気信号を出力する第２受光部を含み、
この第２受光部から出力された第２電気信号に基づいて、前記第１受光部から出力される第１電気信号の波形を修復する、
ことを特徴とする請求項１記載の受信器。
【請求項３】
前記第１受光部に到達する前記第１光信号の波形が、光伝送路により伝送される間に前記第２光信号が励起光となって前記第１光信号において生じたラマンシフトにより劣化している、ことを特徴とする請求項２記載の受信器。
【請求項４】
前記波形修復部が、
前記第２受光部から出力された第２電気信号のレベルを調整するレベル調整器と、
前記第２受光部から出力された第２電気信号の位相を調整する位相調整器と、
前記第１受光部から出力された第１電気信号から、前記レベル調整器によりレベルが調整され前記位相調整器により位相が調整された後の第２電気信号を差し引いて、その差し引いて得られた第１電気信号を出力する減算器と、
を更に含み、
前記減算器において前記第１電気信号から前記第２電気信号を差し引くことで、前記第１電気信号の波形を修復する、
ことを特徴とする請求項２記載の受信器。
【請求項５】
前記波形修復部が、
前記第２受光部から出力された第２電気信号をＮ分岐する分岐器と、
前記分岐器によりＮ分岐された第２電気信号それぞれについて、各第２電気信号のうちの特定周波数成分を選択的に透過するバンドパスフィルタと、
前記分岐器によりＮ分岐された第２電気信号それぞれについて、前記バンドパスフィルタを透過した第２電気信号のレベルを調整するレベル調整器と、
前記分岐器によりＮ分岐された第２電気信号それぞれについて、前記バンドパスフィルタを透過した第２電気信号の位相を調整する位相調整器と、
前記分岐器によりＮ分岐され前記バンドパスフィルタを透過し前記レベル調整器によりレベルが調整され前記位相調整器により位相が調整された第２電気信号を合波する合成器と、
前記第１受光部から出力された第１電気信号から、前記合成器により合波された後の第２電気信号を差し引いて、その差し引いて得られた第１電気信号を出力する減算器と、
を更に含み、
前記減算器において前記第１電気信号から前記第２電気信号を差し引くことで、前記第１電気信号の波形を修復する、
ことを特徴とする請求項２記載の受信器。
【請求項６】
局側装置から送出され光伝送路により伝送されて到達したアナログ情報を含む第１光信号とデジタル情報を含む第２光信号とを分波する光分波器と、
前記光分波器により分波されて出力された前記第２光信号の一部を分岐して出力する光分岐器と、
前記光分波器により分波されて出力された前記第１光信号を光電変換して第１電気信号を生成するとともに、前記光分岐器により分岐されて出力された一方の前記第２光信号を光電変換して第２電気信号を生成して、前記第２電気信号に基づいて前記第１電気信号の波形を修復する請求項２記載の受信器と、
を備えることを特徴とする端末装置。
【請求項７】
光伝送路により接続された局側装置と請求項６記載の端末装置との間で、アナログ情報を含む第１光信号とデジタル情報を含む第２光信号とを送受信する、ことを特徴とする光伝送システム。
【請求項８】
前記第１光信号が波長１.５５μｍ帯であり、前記第２光信号が波長１.４９μｍ帯である、ことを特徴とする請求項７記載の光伝送システム。
【発明の詳細な説明】
【技術分野】
【０００１】
本発明は、光伝送路により接続された局側装置と端末装置との間で光信号を送受信する光伝送システム、このような光伝送システムにおいて用いられる端末装置、および、このような端末装置に含まれる受信器に関するものである。
【背景技術】
【０００２】
光伝送システムは、光伝送路により光信号を伝送することで情報を送受信する。光伝送路は一般には光ファイバからなるが、近年では一般の家庭やオフィスなどの加入者宅の端末装置まで光ファイバ伝送路が敷設されてＦＴＴＨ（fiber to the home）システムが構築されつつある（非特許文献１参照）。このＦＴＴＨシステムでは、デジタル情報を含む光信号（波長１.４９μｍ帯）、および、アナログ映像情報を含む光信号（波長１.５５μｍ帯）が、局側装置から端末装置へ送信される。また、デジタル情報を含む光信号（波長１.３１μｍ帯）が端末装置から局側装置へ送信される。また、端末装置の近くの屋外には、光分岐器を内蔵するクロージャが設けられる。この光分岐器は、局側装置から送信されてきて到達した光信号を分岐して各端末装置へ送出するとともに、端末装置から送信されてきて到達した光信号を局側装置へ送出する。
【非特許文献１】榊正彦、他、「光アクセスＧＥ-ＰＯＮシステムMileStarTM」、沖テクニカルレビュー、Vol.71、No.1、pp.84-87 (2004)
【発明の開示】
【発明が解決しようとする課題】
【０００３】
本願発明者は、このような光伝送システムにおいて、局側装置から光伝送路により伝送されて端末装置に到達した波長１.５５μｍ帯の光信号の波形が劣化することを見出した。そして、本願発明者は、局側装置から端末装置へ一芯の光ファイバ伝送路により２波長（１.４９μｍ帯，１.５５μｍ帯）の光信号が多重化されて伝送されることから、波長１.４９μｍ帯の光信号が励起光となって波長１.５５μｍ帯の光信号がラマン増幅され、これに因り波長１.５５μｍ帯の光信号の波形が劣化することを見出した。
【０００４】
本発明は、上記問題点を解消する為になされたものであり、高品質の光信号伝送が可能な受信器、端末装置および光伝送システムを提供することを目的とする。
【課題を解決するための手段】
【０００５】
本発明に係る受信器は、光信号を受信する受信器であって、アナログ情報を含む第１光信号を光電変換して第１電気信号を出力する第１受光部と、この第１受光部から出力された第１電気信号の波形を修復する波形修復部と、を備えることを特徴とする。
【０００６】
この受信器では、アナログ情報を含む第１光信号は、第１受光部により光電変換されて第１電気信号が出力される。この第１受光部から出力された第１電気信号の波形は波形修復部により修復さる
ここで、波形修復部が、光伝送路を経て到達したデジタル情報を含む第２光信号を光電変換して第２電気信号を出力する第２受光部を含み、この第２受光部から出力された第２電気信号に基づいて、第１受光部から出力される第１電気信号の波形を修復するのが好適である。なお、第１受光部に到達する第１光信号の波形は、光伝送路により伝送される間に第２光信号が励起光となって第１光信号において生じたラマンシフトにより劣化したものである。
【０００７】
波形修復部は、(1) 第２受光部から出力された第２電気信号のレベルを調整するレベル調整器と、(2) 第２受光部から出力された第２電気信号の位相を調整する位相調整器と、(3) 第１受光部から出力された第１電気信号から、レベル調整器によりレベルが調整され位相調整器により位相が調整された後の第２電気信号を差し引いて、その差し引いて得られた第１電気信号を出力する減算器と、を更に含み、減算器において第１電気信号から第２電気信号を差し引くことで、第１電気信号の波形を修復するのが好適である。
【０００８】
また、波形修復部は、(1) 第２受光部から出力された第２電気信号をＮ分岐する分岐器と、(2) 分岐器によりＮ分岐された第２電気信号それぞれについて、各第２電気信号のうちの特定周波数成分を選択的に透過するバンドパスフィルタと、(3) 分岐器によりＮ分岐された第２電気信号それぞれについて、バンドパスフィルタを透過した第２電気信号のレベルを調整するレベル調整器と、(4) 分岐器によりＮ分岐された第２電気信号それぞれについて、バンドパスフィルタを透過した第２電気信号の位相を調整する位相調整器と、(5) 分岐器によりＮ分岐されバンドパスフィルタを透過しレベル調整器によりレベルが調整され位相調整器により位相が調整された第２電気信号を合波する合成器と、(6) 第１受光部から出力された第１電気信号から、合成器により合波された後の第２電気信号を差し引いて、その差し引いて得られた第１電気信号を出力する減算器と、を更に含み、減算器において第１電気信号から第２電気信号を差し引くことで、第１電気信号の波形を修復するのも好適である。ここで、Ｎは２以上の整数である。
【０００９】
本発明に係る端末装置は、(1) 局側装置から送出され光伝送路により伝送されて到達したアナログ情報を含む第１光信号とデジタル情報を含む第２光信号とを分波する光分波器と、(2) 光分波器により分波されて出力された第２光信号の一部を分岐して出力する光分岐器と、(3) 光分波器により分波されて出力された第１光信号を光電変換して第１電気信号を生成するとともに、光分岐器により分岐されて出力された一方の第２光信号を光電変換して第２電気信号を生成して、第２電気信号に基づいて第１電気信号の波形を修復する上記の本発明に係る受信器と、を備えることを特徴とする。
【００１０】
この端末装置では、局側装置から送出され光伝送路により伝送されて到達したアナログ情報を含む第１光信号とデジタル情報を含む第２光信号とは、光分波器により分波される。光分波器により分波されて出力された第２光信号の一部は、光分岐器により分岐されて、受信器に入力する。そして、受信器では、光分波器により分波されて出力された第１光信号が光電変換されて第１電気信号が生成されるとともに、光分岐器により分岐されて出力された一方の第２光信号が光電変換されて第２電気信号が生成されて、第２電気信号に基づいて第１電気信号の波形が修復される。
【００１１】
本発明に係る光伝送システムは、光伝送路により接続された局側装置と上記の本発明に係る端末装置との間で、アナログ情報を含む第１光信号とデジタル情報を含む第２光信号とを送受信することを特徴とする。ここで、第１光信号が波長１.５５μｍ帯であり、第２光信号が波長１.４９μｍ帯であるのが好適である。
【発明の効果】
【００１２】
本発明によれば、高品質の光信号伝送が可能となる。
【発明を実施するための最良の形態】
【００１３】
以下、添付図面を参照して、本発明を実施するための最良の形態を詳細に説明する。なお、図面の説明において同一の要素には同一の符号を付し、重複する説明を省略する。
【００１４】
図１は、本実施形態に係る光伝送システム１の構成図である。この図に示される光伝送システム１は、局側装置１０と端末装置２０とが光ファイバ伝送路３０により接続されたものであり、局側装置１０から端末装置２０へ光ファイバ伝送路３０により第１光信号λ１および第２光信号λ２が多重化されて伝送され、また、端末装置２０から局側装置１０へ光ファイバ伝送路３０により第３光信号λ３が伝送される。なお、この光伝送システム１がＦＴＴＨシステムである場合には、１つの局側装置１０に対して複数の端末装置２０が設けられ、局側装置１０と複数の端末装置２０との間に光分岐器が設けられる。
【００１５】
第１光信号λ１は、アナログ映像情報を含むものであって、波長１.５５μｍ帯（１５３９ｎｍ〜１５６５ｎｍ）である。第２光信号λ２は、デジタル情報を含むものであって、波長１.４９μｍ帯（１４８０ｎｍ〜１５００ｎｍ）である。また、第３光信号λ３は、デジタル情報を含むものであって、波長１.３１μｍ帯である。
【００１６】
局側装置１０は、送信器１１、送受信器１２および光合波器１３を含む。送信器１１は、端末装置２０へ送るべき第１光信号λ１を出力する。送受信器１２は、端末装置２０へ送るべき第２光信号λ２を出力するとともに、端末装置２０から送られてきた第３光信号λ３を受信する。光合波器１３は、送信器１１から出力された第１光信号λ１を入力するとともに、送受信器１２から出力された第２光信号λ２をも入力して、これら第１光信号λ１と第２光信号λ２とを合波して光ファイバ伝送路３０へ送出する。また、光合波器１３は、端末装置２０から光ファイバ伝送路３０により伝送されてきて到達した第３光信号λ３を送受信器１２へ出力する。
【００１７】
端末装置２０は、受信器２１、送受信器２２、光分波器２３、光分岐器２４、光フィルタ２５、テレビ受像機２６およびパーソナルコンピュータ２７を含む。
【００１８】
光分波器２３は、局側装置１０から光ファイバ伝送路３０に伝送されてきて到達した第１光信号λ１と第２光信号λ２とを分波して、第１光信号λ１を受信器２１へ出力し、第２光信号λ２を光分岐器２４へ出力する。また、光分波器２３は、送受信器２２から出力されて光分岐器２４を経た第３光信号λ３を光ファイバ伝送路３０へ送出する。
【００１９】
光分岐器２４は、光分波器２３から出力されて到達した第２光信号λ２を入力し、この第２光信号λ２の一部を分岐して光フィルタ２５へ出力し、第２光信号λ２の残部を送受信器２２へ出力する。また、光分岐器２４は、送受信器２２から出力された第３光信号λ３を入力し、この第３光信号λ３を光分波器２３へ出力する。
【００２０】
送受信器２２は、光分岐器２４から出力されて到達した第２光信号λ２を受信するとともに、局側装置１０へ送るべき第３光信号λ３を出力する。この送受信器２２は、パーソナルコンピュータ２７と接続されており、受信した第２光信号λ２に応じた電気信号をパーソナルコンピュータ２７へ出力し、パーソナルコンピュータ２７から出力された電気信号に応じた第３光信号λ３を出力する。
【００２１】
光フィルタ２５は、光分岐器２４により分岐されて出力された第２光信号λ２を受信器２１へ透過させ、第３光信号λ３を遮断する。受信器２１は、光分波器２３から出力されて到達した第１光信号λ１を入力し光電変換して第１電気信号を生成するとともに、光フィルタ２５を透過した第２光信号λ２を入力し光電変換して第２電気信号を生成し、第２電気信号に基づいて第１電気信号の波形を修復する。テレビ受像機２６は、受信器２１により波形が修復されて出力された第１電気信号を入力して、その第１電気信号が含むアナログ情報に基づいて映像および音声を出力する。
【００２２】
この光伝送システム１では、局側装置１０において、送信器１１から出力された第１光信号λ１と、送受信器１２から出力された第２光信号λ２とは、光合波器１３により合波されて光ファイバ伝送路３０へ送出される。光ファイバ伝送路３０により伝送されて端末装置２０に到達した第１光信号λ１と第２光信号λ２とは光分波器２３により分波されて、第１光信号λ１は受信器２１に入力し、第２光信号λ２は光分岐器２４に入力する。なお、光ファイバ伝送路３０により伝送されて端末装置２０に到達した第１光信号λ１の波形は、その伝送の間に第２光信号λ２が励起光となって第１光信号λ１において生じたラマンシフトにより劣化している。
【００２３】
光分岐器２４に入力した第２光信号λ２の一部は、この光分岐器２４により分岐されて光フィルタ２５へ出力され、この光フィルタ２５を透過して受信器２１に入力する。光分岐器２４に入力した第２光信号λ２の残部は、この光分岐器２４を透過して送受信器２２により受信される。受信器２１において、光分波器２３から出力されて到達した第１光信号λ１が光電変換されて第１電気信号が生成されるとともに、光フィルタ２５を透過した第２光信号λ２が光電変換されて第２電気信号が生成され、第２電気信号に基づいて第１電気信号の波形が修復される。
【００２４】
逆に、端末装置２０の送受信器２２から出力された第３光信号λ３は、端末装置２０内の光分岐器２４および光分波器２３を経て光ファイバ伝送路３０、へ送出され、光ファイバ伝送路３０により伝送された後、局側装置１０内の光合波器１３を経て、送受信器１２により受信される。
【００２５】
図２は、本実施形態に係る光伝送システム１の端末装置２０に含まれる受信器２１の構成図である。受信器２１は、波形修復部２１０Ａ、受光部２１１、Ｉ-Ｖ変換回路２１２およびＯＲＸ回路２１３を含む。また、波形修復部２１０Ａは、受光部２１４、Ｉ-Ｖ変換回路２１５、レベル調整器２１６、位相調整器２１７および減算器２１８を含む。
【００２６】
受光部２１１は、光ファイバ伝送路３０により伝送され光分波器２３により分波されて出力された第１光信号λ１を受光し、当該受光強度に応じた値の電流信号を出力する。Ｉ-Ｖ変換回路２１２は、受光部２１１から出力された電流信号を入力し、その電流信号の値に応じた値を有する電圧信号（第１電気信号）を出力する。波形修復部２１０Ａは、Ｉ-Ｖ変換回路２１２から出力された第１電気信号の波形を修復して、その修復した後の第１電気信号を出力する。そして、ＯＲＸ回路２１３は、Ｉ-Ｖ変換回路２１２により波形が修復されて出力された第１電気信号を入力して、テレビ受像機２６が受信し得るテレビ信号に変換して出力する。
【００２７】
波形修復部２１０Ａに含まれる受光部２１４は、光フィルタ２５を透過した第２光信号λ２を受光し、当該受光強度に応じた値の電流信号を出力する。Ｉ-Ｖ変換回路２１５は、受光部２１２から出力された電流信号を入力し、その電流信号の値に応じた値を有する電圧信号（第２電気信号）を出力する。レベル調整器２１６は、例えば抵抗値が可変の抵抗器を有し、その抵抗値を調整することで、Ｉ-Ｖ変換回路２１５から出力された第２電気信号のレベルを調整して出力する。位相調整器２１７は、例えば容量値が可変の容量素子およびコイルを有し、その容量値を調整することで、レベル調整器２１６から出力された第２電気信号の位相を調整して出力する。減算器２１８は、Ｉ-Ｖ変換回路２１２から出力された第１電気信号から、位相調整器２１７から出力された第２電気信号を差し引き、このように差し引くことで第１電気信号の波形を修復して、この修復した後の第１電気信号をＯＲＸ回路２１３へ出力する。
【００２８】
この端末装置２１では、光フィルタ２５を透過した第２光信号λ２は、受光部２１４およびＩ-Ｖ変換回路２１５により第２電気信号に変換され、この第２電気信号は、レベル調整器２１６によりレベルが調整され、位相調整器２１７により位相が調整されて、減算器２１８に入力する。レベルおよび位相が調整された後の第２電気信号は、第１電気信号に含まれるノイズ成分と略一致したものとされる。
【００２９】
光ファイバ伝送路３０により伝送され光分波器２３により分波されて出力された第１光信号λ１は、受光部２１１およびＩ-Ｖ変換回路２１２により第１電気信号に変換される。この第１電気信号は、減算器２１８により、位相調整器２１７から出力された第２電気信号が差し引かれることで、波形が修復される。そして、減算器２１８により波形が修復されて出力された第１電気信号は、ＯＲＸ回路２１３を経てテレビ受像機２６に入力する。
【００３０】
図３は、本実施形態に係る光伝送システム１の端末装置２０に含まれる受信器２１における第１電気信号のノイズレベルを示すグラフである。同図（ａ）は、Ｉ-Ｖ変換回路２１２から出力される波形修復前の第１電気信号のノイズレベルを示し、同図（ｂ）は、波形修復部２１０Ａから出力される波形修復後の第１電気信号のノイズレベルを示す。また、同図（ａ），（ｂ）には、送受信器２２から出力される第２電気信号のレベルも示されている。
【００３１】
ここでは、局側装置１０と端末装置２０との間に設けられた光ファイバ伝送路３０は、長さ２４ｋｍの標準的なシングルモード光ファイバからなるものとした。局側装置１０から光ファイバ伝送路３０へ送出される第１光信号（波長１.５５μｍ）のパワーを＋１６.５ｄＢｍとし、局側装置１０から光ファイバ伝送路３０へ送出される第２光信号（波長１.４９μｍ）のパワーを＋６ｄＢｍとした。また、光ファイバ伝送路３０により伝送されて端末装置２０に入力するときの第１光信号のパワーを０ｄＢｍとした。
【００３２】
この図から判るように、第１光信号が受光部２１１により受光されてＩ-Ｖ変換回路２１２から出力される第１電気信号と比較して、波形修復部２１０Ａから出力される第１電気信号は、ノイズレベルが小さくなっている。
【００３３】
次に、受信器２１の他の構成について説明する。図４は、本実施形態に係る光伝送システム１の端末装置２０に含まれる受信器２１の他の構成図である。この図４に示される受信器２１は、前に図２に示した受信器２１の構成と比較すると、波形修復部２１０Ａに替えて波形修復部２１０Ｂを含む点で相違する。波形修復部２１０Ｂは、受光部２１４、Ｉ-Ｖ変換回路２１５、分岐器２２１、バンドパスフィルタ２１９１〜２１９Ｎ、レベル調整器２１６１〜２１６Ｎ、位相調整器２１７１〜２１７Ｎ、合成器２２２および減算器２１８を含む。
【００３４】
受光部２１４は、光フィルタ２５を透過した第２光信号λ２を受光し、当該受光強度に応じた値の電流信号を出力する。Ｉ-Ｖ変換回路２１５は、受光部２１２から出力された電流信号を入力し、その電流信号の値に応じた値を有する電圧信号（第２電気信号）を出力する。分岐器２２１は、Ｉ-Ｖ変換回路２１５から出力された第２電気信号をＮ分岐して、Ｎ分岐した各々の第２電気信号をバンドパスフィルタ２１９１〜２１９Ｎへ出力する。ここで、Ｎは２以上の整数である。
【００３５】
各バンドパスフィルタ２１９ｎは、入力した第２電気信号のうち特定周波数成分を選択的に透過して出力する。ここで、ｎは１以上Ｎ以下の任意の整数である。バンドパスフィルタ２１９１〜２１９Ｎそれぞれの透過帯域は互いに異なる。各レベル調整器２１６ｎは、例えば抵抗値が可変の抵抗器を有し、その抵抗値を調整することで、対応するバンドパスフィルタ２１９ｎから出力された第２電気信号のレベルを調整して出力する。各位相調整器２１７ｎは、例えば容量値が可変の容量素子およびコイルを有し、その容量値を調整することで、対応するレベル調整器２１６ｎから出力された第２電気信号の位相を調整して出力する。
【００３６】
合成器２２２は、位相調整器２１７１〜２１７Ｎそれぞれにより位相が調整された第２電気信号を入力し、これらを合波して出力する。減算器２１８は、Ｉ-Ｖ変換回路２１２から出力された第１電気信号から、合成器２２２により合波された第２電気信号を差し引き、このように差し引くことで第１電気信号の波形を修復して、この修復した後の第１電気信号をＯＲＸ回路２１３へ出力する。
【００３７】
この波形修復部２１０Ｂでは、光フィルタ２５を透過した第２光信号λ２は、受光部２１４およびＩ-Ｖ変換回路２１５により第２電気信号に変換される。この第２電気信号は、分岐器２２１によりＮ分岐され、各々の分岐において、バンドパスフィルタ２１９ｎにより特定周波数成分が選択され、レベル調整器２１６ｎによりレベルが調整され、位相調整器２１７ｎにより位相が調整され、合成器２２２により合波されて、減算器２１８に入力する。この合波された後の第２電気信号は、第１電気信号に含まれるノイズ成分と略一致したものとされる。
【００３８】
光ファイバ伝送路３０により伝送され光分波器２３により分波されて出力された第１光信号λ１は、受光部２１１およびＩ-Ｖ変換回路２１２により第１電気信号に変換される。この第１電気信号は、減算器２１８により、合成器２２２から出力された第２電気信号が差し引かれることで、波形が修復される。そして、減算器２１８により波形が修復されて出力された第１電気信号は、ＯＲＸ回路２１３を経てテレビ受像機２６に入力する。
【００３９】
図５は、本実施形態に係る光伝送システム１の端末装置２０に含まれる受信器２１における第１電気信号のノイズレベルを示すグラフである。ここでは、局側装置１０と端末装置２０との間に設けられた光ファイバ伝送路３０は、長さ２４ｋｍの標準的なシングルモード光ファイバからなるものとした。局側装置１０から光ファイバ伝送路３０へ送出される第１光信号（波長１.５５μｍ）のパワーを＋１６.５ｄＢｍとし、局側装置１０から光ファイバ伝送路３０へ送出される第２光信号（波長１.４９μｍ）のパワーを＋６ｄＢｍとした。また、光ファイバ伝送路３０により伝送されて端末装置２０に入力するときの第１光信号のパワーを０ｄＢｍとした。
【００４０】
また、Ｎを２とし、一方のバンドパスフィルタ２１９１の中心透過周波数を９３.７５ＭＨｚとし、他方のバンドパスフィルタ２１９２の中心透過周波数を３１２.５ＭＨｚとした。そして、ＯＲＸ回路２１３からの出力信号をスペクトラムアナライザ等によりモニタして、９３.７５ＭＨｚのノイズが小さくなるようにレベル調整器２１６１の可変抵抗器の抵抗値を調整するとともに位相調整器２１７１の可変容量素子の容量値を調整し、３１２.５ＭＨｚのノイズが小さくなるようにレベル調整器２１６２の可変抵抗器の抵抗値を調整するとともに位相調整器２１７２の可変容量素子の容量値を調整した。
【００４１】
図５には、周波数９３.７５ＭＨｚおよび周波数３１２.５ＭＨｚそれぞれについて、送受信器２２から出力される第２電気信号のレベル（ＧＥ-ＰＯＮ信号レベル）、Ｉ-Ｖ変換回路２１２から出力される波形修復前の第１電気信号のノイズレベル（映像信号のノイズ）、波形修復部２１０Ａから出力される波形修復後の第１電気信号のノイズレベル（構成Ａでのノイズ）、および、波形修復部２１０Ｂから出力される波形修復後の第１電気信号のノイズレベル（構成Ｂでのノイズ）が示されている。この図から判るように、第１光信号が受光部２１１により受光されてＩ-Ｖ変換回路２１２から出力される第１電気信号と比較して、図２に示される波形修復部２１０Ａから出力される第１電気信号のノイズレベルは小さくなっており、図４に示される波形修復部２１０Ｂから出力される第１電気信号のノイズレベルは更に小さくなっている。
【００４２】
本発明は、上記実施形態に限定されるものではなく、種々の変形が可能である。例えば、光分岐器２４を設けることなく、送受信器２２で光電変換した信号を受信器２１に取り込んでもよい。
【図面の簡単な説明】
【００４３】
【図１】本実施形態に係る光伝送システム１の構成図である。
【図２】本実施形態に係る光伝送システム１の端末装置２０に含まれる受信器２１の構成図である。
【図３】本実施形態に係る光伝送システム１の端末装置２０に含まれる受信器２１における第１電気信号のノイズレベルを示すグラフである。
【図４】本実施形態に係る光伝送システム１の端末装置２０に含まれる受信器２１の他の構成図である。
【図５】本実施形態に係る光伝送システム１の端末装置２０に含まれる受信器２１における第１電気信号のノイズレベルを示すグラフである。
【符号の説明】
【００４４】
１…光伝送システム、１０…局側装置、１１…送信器、１２…送受信器、１３…光合波器、２０…端末装置、２１…受信器、２２…送受信器、２３…光分波器、２４…光分岐器、２５…光フィルタ、２６…テレビ受像機、２７…パーソナルコンピュータ、３０…光ファイバ伝送路、２１０Ａ，２１０Ｂ…波形修復部、２１１…受光部、２１２…Ｉ-Ｖ変換回路、２１３…ＯＲＸ回路、２１４…受光部、２１５…Ｉ-Ｖ変換回路、２１６…レベル調整器、２１７…位相調整器、２１８…減算器、２１９…バンドパスフィルタ、２２１…分岐器、２２２…合成器。
【図１】
2006074725.tif 000003
【図２】
2006074725.tif 000004
【図３】
2006074725.tif 000005
【図４】
2006074725.tif 000006
【図５】
2006074725.tif 000007